(57)【要約】【課題】効率良く、大気中の水蒸気を凝縮し、水を製造する造水装置を提供する。【解決手段】空気口９、１０とを備えるケース体８内に収容された熱電交換素子４と、熱電交換素子４を挟むように設けられた、吸熱側フィンと、放熱側フィンと、ケース体８の空気口１０に設けられたファン３と、熱電交換素子７及びファン３を駆動する電源２と、熱電交換素子７及びファン３を制御する制御手段２２とを備える。【選択図】図１
2005282974.tif 000002
【特許請求の範囲】
【請求項１】
空気供給口と空気排出口とを備えるケース体と、
前記ケース体内に収容された熱電交換素子と、
前記熱電交換素子を挟むように設けられた、吸熱側フィンと、放熱側フィンと、
前記ケース体の空気口に設けられたファンと、
前記熱電交換素子及び前記ファンを駆動する電源と、
前記熱電交換素子及び前記ファンを制御する制御手段とを備える、造水装置。
【請求項２】
空気口を有する、略円柱形状のケース体と、
前記ケース体内に収容された熱電交換素子と、
前記ケース体の空気口に設けられたファンと、
前記熱電交換素子及び前記ファンを駆動する電源とを備え、
前記熱電交換素子を略円柱形状にし、
前記略円柱形状の熱電交換素子の内側に、吸熱側フィンを前記略円柱形状の熱電交換素子の中心方向に放射状に配置し、
前記略円柱形状の熱電交換素子の外側に、放熱側フィンを前記略円柱形状の熱電交換素子の中心方向から前記ケース体方向に放射状に配置した、造水装置。
【請求項３】
空気口を有する、略円柱形状のケース体と、
前記ケース体内に収容された熱電交換素子と、
前記ケース体の空気口に設けられたファンと、
前記熱電交換素子及び前記ファンを駆動する電源とを備え、
前記熱電交換素子を略円柱形状にし、
前記略円柱形状の熱電交換素子の内側に、放熱側フィンを前記略円柱形状の熱電交換素子の中心方向に放射状に配置し、
前記略円柱形状の熱電交換素子の外側に、吸熱側フィンを前記略円柱形状の熱電交換素子の中心方向から前記ケース体方向に放射状に配置した、造水装置。
【請求項４】
前記熱電交換素子及び前記ファンを制御する制御手段を更に備える、請求項２又は請求項３に記載の造水装置。
【請求項５】
一対の熱電交換素子と、
前記一対の熱電交換素子の各々の吸熱側面を橋渡すように設けられた吸熱側フィンと、
前記一対の熱電交換素子の各々の放熱側面の各々に設けられた放熱側フィンと、
前記一対の熱電交換素子の各々の吸熱側面を橋渡すように設けられた吸熱側フィン用のファンと、
前記一対の熱電交換素子の各々の放熱側面の各々に設けられた放熱側フィン用のファンと、
前記熱電交換素子、前記吸熱側フィン用のファン及び前記放熱側フィン用のファンを駆動する電源とを備える、造水装置。
【請求項６】
一対の熱電交換素子と、
前記一対の熱電交換素子の各々の放熱側面を橋渡すように設けられた放熱側フィンと、
前記一対の熱電交換素子の各々の吸熱側面の各々に設けられた吸熱側フィンと、
前記一対の熱電交換素子の各々の放熱側面を橋渡すように設けられた放熱側フィン用のファンと、
前記一対の熱電交換素子の各々の吸熱側面の各々に設けられた吸熱側フィン用のファンと、
前記熱電交換素子、前記放熱側フィン用のファン及び前記吸熱側フィン用のファンを駆動する電源とを備える、造水装置。
【請求項７】
前記熱電交換素子、前記放熱側フィン用のファン及び前記吸熱側フィン用のファンを制御する制御手段を更に備える、請求項５又は請求項６に記載の造水装置。
【請求項８】
前記電源が、太陽電池と、前記太陽電池により発生させた電力を充放電する二次電池とを備え、
前記二次電池に充電された電力を用いて、前記熱電交換素子及び前記ファンを駆動するようにされており、
前記制御手段により、
昼間は、前記太陽電池及び前記太陽電池により発生させた電力を前記二次電池に充電し、
夜間から早朝にかけて、前記二次電池に充電した電力を用いて、前記熱電交換素子及び前記ファンを駆動するようにした、請求項１、４又は７に記載の造水装置。
【請求項９】
前記太陽電池が、前記ケース体の上面に設けられている、請求項２に記載の造水装置。
【請求項１０】
前記電源が、風力発電装置と、前記風力発電装置により発生させた電力を充放電する二次電池とを備え、
前記二次電池に充電された電力を用いて、前記熱電交換素子及び前記ファンを駆動するようにされており、
前記制御手段により、
昼間は、前記風力発電装置及び前記風力発電装置により発生させた電力を前記二次電池に充電し、
夜間から早朝にかけて、前記二次電池に充電した電力を用いて、前記熱電交換素子及び前記ファンを駆動するようにした、請求項１、４又は７に記載の造水装置。
【発明の詳細な説明】
【技術分野】
【０００１】
本発明は、造水装置に関し、特に、効率良く、大気中の水蒸気を凝縮し、水を製造する造水装置に関する。
【背景技術】
【０００２】
熱電交換素子を用いた造水装置としては、例えば、実開平５−５３２５６号公報に開示のものが提案されている。
【０００３】
図１０は、実開平５−５３２５６号公報に開示されている造水装置の要部を概略的に示す断面図である。
【０００４】
この造水装置１０１は、太陽電池１０２と、太陽電池１０２の電力で駆動するファン１０３と、ペルチェ素子１０４と、ペルチェ素子１０４に接合された空気冷却体１０５と、ペルチェ素子１０４に接合された放熱フィン１０６と、ペルチェ素子１０４の下方部に設けられた水槽１０７と、ファン１０３、空気冷却体（吸熱側フィン）１０５及び放熱側フィン１０６が接合されたペルチェ素子１０４及び水槽１０７を収容するケース体１０８とを備える。
【０００５】
ケース体１０８には、空気取り入れ口１０９と、空気排出口１１０とが設けられている。
【０００６】
この造水装置１０１では、太陽電池１０２は、ケース体１０８の上面（屋根）に設けられている。
【０００７】
尚、図１０中、１１１で示す部材は、水槽１０７に貯蔵された水の排出又はその停止を行なう水取り出しコックを示している。
【０００８】
次に、この造水装置１０１を用いて水を作る動作・原理について説明する。
【０００９】
この造水装置１０１では、ファン１０３が、空気排出口１１０側に設けられており、太陽電池１０２により発電した電力で、ファン１０３を駆動すると、空気が、空気取り入れ口１０９からケース体１０８内に流入し、ケース体１０８内に流入した空気は、空気冷却体（吸熱側フィン）１０５及び放熱側フィン１０６が接合されたペルチェ素子１０４に当たり、その後、空気排出口１１０から大気中に排出されるようになっている。
【００１０】
そして、この造水装置１０１では、太陽電池１０２により発電した電力で、ファン１０３を駆動すると、空気取り入れ口１０９からケース体１０８内に流入した空気が、ペルチェ素子１０４に接合されている空気冷却体１０５に接触又はその近傍を通る際に冷やされて、空気中に含まれる水蒸気が凝縮して液化し、そのようにして作られた水が、水槽１０７に収容されるようになっている。
【００１１】
水槽１０７に蓄えられた水は、必要に応じて、水取り出しコックを開くことで、水槽１０７から飲料水等として使用される。
【００１２】
また、この造水装置１０１では、太陽電池１０２により発電した電力を、ファン１０３及びペルチェ素子の駆動電源として用いているので、水取り出しコックを閉じておけば、商用電力を用いなくても、水槽１０７に水を貯水することができる。
【特許文献１】実開平５−５３２５６号
【発明の開示】
【発明が解決しようとする課題】
【００１３】
ところで、上記した従来の造水装置１０１のような造水装置は、太陽電池１０２とペルチェ素子１０４を用い、空気中に含まれる水蒸気が凝縮して水を作り出しているといった利点があるので、これを、例えば、砂漠等の乾燥地帯に設置し、砂漠緑化その他の乾燥地帯の緑化のために使用することが考えられる。
【００１４】
しかしながら、上記した従来の造水装置１０１のような造水装置は、昼夜のべつくまなく、太陽電池１０２により発電した電力で、ファン１０３及びペルチェ素子１０４を駆動し、大気中の水蒸気を凝縮し水を取り出すようにしているが、このような方法は、水を作り出す方法としては、効率的とは言えず、尚、改良の余地がある。
【００１５】
本発明の第一の目的は、上記した問題を解決するためになされたものであって、例えば、砂漠に設置し、砂漠緑化のために使用するような場合に、大気中から効率良く水を作り出すことができるようにした造水装置を提供することにある。
【００１６】
また、従来、ペルチェ素子は、平板状のものに限られている。
【００１７】
また、従来、ペルチェ素子に取り付ける吸熱側フィンは、ペルチェ素子の冷却側の平面上に取り付けられ、また、ペルチェ素子に取り付ける放熱側フィンも、ペルチェ素子の冷却側の平面上に取り付けられているに過ぎず、造水装置の形状に合わせて、ペルチェ素子の形状を工夫し、ペルチェ素子の機能を十分に発揮させるようにするような工夫は、なされていない。
【００１８】
本発明の第二の目的は、上記した問題を解決するためになされたものであって、造水装置のデザイン形状に合わせて、造水効率を高めるように、ペルチェ素子の機能を十分に発揮させるように、ペルチェ素子の形状や、ペルチェ素子の形状に合わせて、ペルチェ素子の冷却側に取り付ける吸熱側フィンの取り付け構造を工夫したり、また、ペルチェ素子の放熱側に取り付ける放熱側フィンの取り付け構造を工夫したりした、造水装置を提供することにある。
【００１９】
また、本発明の第三の目的は、ペルチェ素子の機能を十分に発揮させるように、ペルチェ素子に対し、ペルチェ素子へのペルチェ素子の冷却側に取り付ける吸熱側フィンの取り付け構造やユニット数、及び、ペルチェ素子の放熱側に取り付ける放熱側フィンの取り付け構造やユニット数を工夫したりした、造水装置を提供することにある。
【課題を解決するための手段】
【００２０】
請求項１に記載の造水装置は、空気供給口と空気排出口とを備えるケース体と、ケース体内に収容された熱電交換素子と、熱電交換素子を挟むように設けられた、吸熱側フィンと、放熱側フィンと、ケース体の空気口に設けられたファンと、熱電交換素子及びファンを駆動する電源と、熱電交換素子及びファンを制御する制御手段とを備える。
【００２１】
請求項２に記載の造水装置は、空気口を有する、略円柱形状のケース体と、ケース体内に収容された熱電交換素子と、ケース体の空気口に設けられたファンと、熱電交換素子及びファンを駆動する電源とを備え、熱電交換素子を略円柱形状にし、略円柱形状の熱電交換素子の内側に、吸熱側フィンを略円柱形状の熱電交換素子の中心方向に放射状に配置し、略円柱形状の熱電交換素子の外側に、放熱側フィンを略円柱形状の熱電交換素子の中心方向からケース体方向に放射状に配置した。
【００２２】
ここで、本明細書で用いる用語、「略円柱形状」は、円柱体形状等の柱状形状、ラグビーボール形状など円錐形状、ラグビーボールの両端の一対の頂点部の各々の一部を切り取ったような形状等が含まれる（この用語は、請求項３に係る発明においても同様である。）。
【００２３】
また、この造水装置は、熱電交換素子の吸熱側表面が、略円柱形状の熱電交換素子の内表面側にされており、且つ、熱電交換素子の放熱側表面が、略円柱形状の熱電交換素子の外表面側にされている。
【００２４】
また、略円柱形状の熱電交換素子は、略円柱形状のケース体より小さい大きさの相似形又は概ね相似形の形状にされている（この用語は、請求項３に係る発明においても同様である。）。
【００２５】
また、略円柱形状の熱電交換素子の直径は、その中心線上のどの点においても、略円柱形状の熱電交換素子の外側に設けられる放熱側フィンの長さを考慮して、放熱側フィンの長さ又はこれより少し長い長さの２倍又はこれより少し長い長さ分だけ、略円柱形状のケース体より短く又は概ね短くされている。
【００２６】
また、略円柱形状の熱電交換素子は、略円柱形状のケース体の中心線に、その中心線を合わせる又は概ね合わせるようにして、その中心線に直交する方向の断面形状が、略円柱形状のケース体の中心線に直交する方向の断面形状が、同じ点において、同心円又は概ね同心円に配置されるように設けられている（この用語は、請求項３に係る発明においても同様である。）。
【００２７】
請求項３に記載の造水装置は、空気口を有する、略円柱形状のケース体と、ケース体内に収容された熱電交換素子と、ケース体の空気口に設けられたファンと、熱電交換素子及びファンを駆動する電源とを備え、熱電交換素子を略円柱形状にし、略円柱形状の熱電交換素子の内側に、放熱側フィンを略円柱形状の熱電交換素子の中心方向に放射状に配置し、略円柱形状の熱電交換素子の外側に、吸熱側フィンを円柱形状の熱電交換素子の中心方向からケース体方向に放射状に配置した。
【００２８】
請求項３に記載の造水装置は、熱電交換素子の放熱側表面が、略円柱形状の熱電交換素子の内表面側にされており、且つ、熱電交換素子の吸熱側表面が、略円柱形状の熱電交換素子の外表面側にされており、略円柱形状の熱電交換素子の内側に、放熱側フィンを円柱形状の熱電交換素子の中心方向に放射状に配置し、略円柱形状の熱電交換素子の外側に、吸熱側フィンを円柱形状の熱電交換素子の中心方向からケース体方向に放射状に配置した構成を備え、略円柱形状の熱電交換素子の直径は、その中心線上のどの点においても、略円柱形状の熱電交換素子の外側に設けられる吸熱側フィンの長さを考慮して、吸熱側フィンの長さ又はこれより少し長い長さの２倍又はこれより少し長い長さ分だけ、略円柱形状のケース体より短く又は概ね短くされている点を除けば、請求項２に記載の造水装置と同様である。
【００２９】
請求項４に記載の造水装置は、請求項２又は請求項３に記載の造水装置が、熱電交換素子及びファンを制御する制御手段を更に備える。
【００３０】
請求項５に記載の造水装置は、一対の熱電交換素子と、一対の熱電交換素子の各々の吸熱側面を橋渡すように設けられた吸熱側フィンと、一対の熱電交換素子の各々の放熱側面の各々に設けられた放熱側フィンと、一対の熱電交換素子の各々の吸熱側面を橋渡すように設けられた吸熱側フィン用のファンと、一対の熱電交換素子の各々の放熱側面の各々に設けられた放熱側フィン用のファンと、熱電交換素子、吸熱側フィン用のファン及び放熱側フィン用のファンを駆動する電源とを備える。
【００３１】
請求項６に記載の造水装置は、一対の熱電交換素子と、一対の熱電交換素子の各々の放熱側面を橋渡すように設けられた放熱側フィンと、一対の熱電交換素子の各々の吸熱側面の各々に設けられた吸熱側フィンと、一対の熱電交換素子の各々の放熱側面を橋渡すように設けられた放熱側フィン用のファンと、一対の熱電交換素子の各々の吸熱側面の各々に設けられた吸熱側フィン用のファンと、熱電交換素子、放熱側フィン用のファン及び吸熱側フィン用のファンを駆動する電源とを備える。
【００３２】
請求項７に記載の造水装置は、請求項５又は請求項６に記載の造水装置が、熱電交換素子、放熱側フィン用のファン及び吸熱側フィン用のファンを制御する制御手段を更に備える。
【００３３】
請求項８に記載の造水装置は、請求項１、４又は７に記載の造水装置の、電源が、太陽電池と、太陽電池により発生させた電力を充放電する二次電池とを備え、二次電池に充電された電力を用いて、熱電交換素子及びファンを駆動するようにされており、制御手段により、昼間は、太陽電池及び太陽電池により発生させた電力を二次電池に充電し、夜間から早朝にかけて、二次電池に充電した電力を用いて、熱電交換素子及びファンを駆動するようにした。
【００３４】
請求項９に記載の造水装置は、請求項２に記載の造水装置の、太陽電池が、ケース体の上面に設けられている。
【００３５】
請求項１０に記載の造水装置は、請求項１、４又は７に記載の造水装置の、電源が、風力発電装置と、風力発電装置により発生させた電力を充放電する二次電池とを備え、二次電池に充電された電力を用いて、熱電交換素子及びファンを駆動するようにされており、制御手段により、昼間は、風力発電装置及び風力発電装置により発生させた電力を二次電池に充電し、夜間から早朝にかけて、二次電池に充電した電力を用いて、熱電交換素子及びファンを駆動するようにした。
【発明の効果】
【００３６】
請求項１に記載の造水装置では、熱電交換素子及びファンを制御する制御手段を設けているので、例えば、大気の温度が高く、熱電交換素子やファンを駆動しても、空気中に含まれる水蒸気を凝縮して水に変えることが難しい、昼間は、制御手段により、熱電交換素子及びファンを停止し、その一方、例えば、大気の温度が下がり、空気中に含まれる水蒸気が飽和状態になっていたり、飽和状態に近くなっていたり、又は、少なくとも、温度が下がることで、温度との関係で湿度が高くなっている夜間から早朝にかけて、制御手段により、熱電交換素子及びファンを駆動することで、効率良く、空気中の水蒸気を凝縮して水を得ることができる。
【００３７】
請求項２又は請求項３に記載の造水装置では、ケース体の形状を略円柱形状にし、この中に、略円柱体形状の熱電交換素子を収容するようにしているので、略円柱形状ケース体内に平板形状の熱電交換素子を平板形状に収容した場合に比べ、熱電交換素子をそのユニット単位で見た場合、沢山、収容することができる。即ち、この造水装置は、熱電交換素子をそのユニット単位で見た場合、略円柱形状ケース体内に平板形状の熱電交換素子を平板形状に収容した造水装置に比較して、空気中の水蒸気を凝縮して水にする効率が優れている。
【００３８】
また、これらの造水装置は、ケース体の形状を略円柱形状、例えば、ラグビーボール形状又は略ラグビーボール形状にしているので、美観に優れている。
【００３９】
請求項４に記載の造水装置は、熱電交換素子及びファンを制御する制御手段を備えているので、請求項１に記載の造水装置と同様、例えば、大気の温度が高く、熱電交換素子やファンを駆動しても、空気中に含まれる水蒸気を凝縮して水に変えることが難しい、昼間は、制御手段により、熱電交換素子及びファンを停止し、その一方、例えば、大気の温度が下がり、空気中に含まれる水蒸気が飽和状態になっていたり、飽和状態に近くなっていたり、又は、少なくとも、温度が下がることで、温度との関係で湿度が高くなっている夜間から早朝にかけて、制御手段により、熱電交換素子及びファンを駆動することで、効率良く、空気中の水蒸気を凝縮して水を得ることができる。
【００４０】
請求項５に記載の造水装置は、２個の熱電交換素子の各々に対し、放熱側フィンと、吸熱側フィンとを設けるのではなく、２個の熱電交換素子の各々の吸熱側面を橋渡すように吸熱側フィンを設け、一対の熱電交換素子の各々の放熱側面の各々に放熱側フィンを設けているので、１個の吸熱側フィンが、２個の熱電交換素子によって冷却されることになり、吸熱側フィンの冷却効率が高い。この結果、この造水装置を駆動すれば、効率良く、空気中の水蒸気を凝縮して水を得ることができる。
【００４１】
請求項６に記載の造水装置は、２個の熱電交換素子の各々に対し、放熱側フィンと、吸熱側フィンとを設けるのではなく、２個の熱電交換素子の各々の放熱側面を橋渡すように放熱側フィンを設け、一対の熱電交換素子の各々の吸熱側面の各々に吸熱側フィンを設けているので、１個の放熱側フィンが、２個の熱電交換素子によって熱せられることになり、放熱側フィンの効率が高い。この逆作用の結果、この造水装置を駆動すれば、効率良く、空気中の水蒸気を凝縮して水を得ることができる。
【００４２】
請求項７に記載の造水装置は、熱電交換素子及びファンを制御する制御手段を備えているので、請求項１に記載の造水装置や請求項４に記載の造水装置と同様、例えば、大気の温度が高く、熱電交換素子やファンを駆動しても、空気中に含まれる水蒸気を凝縮して水に変えることが難しい、昼間は、制御手段により、熱電交換素子及びファンを停止し、その一方、例えば、大気の温度が下がり、空気中に含まれる水蒸気が飽和状態になっていたり、飽和状態に近くなっていたり、又は、少なくとも、温度が下がることで、温度との関係で湿度が高くなっている夜間から早朝にかけて、制御手段により、熱電交換素子及びファンを駆動することで、効率良く、空気中の水蒸気を凝縮して水を得ることができる。
【００４３】
請求項８に記載の造水装置は、太陽電池を用いているので、商用電源を用いなくても、水を作ることができる。
【００４４】
また、この造水装置は、太陽電池により発生させた電力を充放電する二次電池を備え、二次電池に充電された電力を用いて、熱電交換素子及びファンを駆動するようにされており、制御手段により、昼間は、効率良く、太陽電池により発生させた電力を二次電池に充電し、例えば、大気の温度が下がり、空気中に含まれる水蒸気が飽和状態になっていたり、飽和状態に近くなっていたり、又は、少なくとも、温度が下がることで、温度との関係で湿度が高くなっており、熱電交換素子を駆動した場合、空気中の水蒸気を凝縮して水にするのが容易な、夜間から早朝にかけて、二次電池に充電した電力を用いて、熱電交換素子及びファンを駆動するようにしているので、効率良く、空気中の水蒸気を凝縮して水を得ることができる。
【００４５】
請求項９に記載の造水装置は、太陽電池を、太陽光の受光効率が高い、ケース体の上面に設けているので、太陽電池により効率よく電力を作り出すことができる。
【００４６】
この結果、この造水装置は、熱電交換素子及びファンを駆動する電力が大きいので、効率良く、空気中の水蒸気を凝縮して水を得ることができる。
【００４７】
請求項１０に記載の造水装置は、風力発電装置を用いているので、商用電源を用いなくても、水を作ることができる。
【００４８】
また、この造水装置は、風力発電装置により発生させた電力を充放電する二次電池を備え、二次電池に充電された電力を用いて、熱電交換素子及びファンを駆動するようにされており、制御手段により、風力発電装置により発生させた電力を二次電池に充電し、例えば、大気の温度が下がり、空気中に含まれる水蒸気が飽和状態になっていたり、飽和状態に近くなっていたり、又は、少なくとも、温度が下がることで、温度との関係で湿度が高くなっており、熱電交換素子を駆動した場合、空気中の水蒸気を凝縮して水にするのが容易な、夜間から早朝にかけて、二次電池に充電した電力を用いて、熱電交換素子及びファンを駆動するようにしているので、効率良く、空気中の水蒸気を凝縮して水を得ることができる。
【発明を実施するための最良の形態】
【００４９】
（実施例１）
以下、本発明に係る造水装置の一例を、図面を参照しながら、更に、詳しく説明する。
【００５０】
図１は、本発明に係る造水装置の一例を概略的に説明する構成図である。
【００５１】
この造水装置は、以下の場合に限定されることは無いが、例えば、砂漠緑化のために使用するための造水装置を例示している。
【００５２】
この造水装置１は、太陽電池２と、太陽電池２が発電した電力で駆動するファン３と、熱電交換素子（この例では、ペルチェ素子）４と、熱電交換素子（この例では、ペルチェ素子）４に接合された放熱側フィン（図示せず。）と、熱電交換素子（この例では、ペルチェ素子）４に接合された放熱フィン（図示せず。）と、熱電交換素子（この例では、ペルチェ素子）４を駆動することで空気中の水蒸気を凝縮して得た水を蓄える水槽７と、ファン３、並びに、吸熱側フィン（図示せず。）及び放熱側フィン（図示せず。）が接合されたペルチェ素子４を収容するケース体８とを備える。
【００５３】
また、ケース体８は、第一の空気口９と、第二の空気口１０とを備える。
【００５４】
この造水装置１の以上の構成は、図１０に示す従来の造水装置１０１と同様である。
【００５５】
尚、図１中、１１で示す部材は、開閉バルブを示しており、開閉バルブ１１は、水槽７に接続された排水管１２の途中に設けられている。
【００５６】
排水管１２には、複数個の水排出孔１２ｈ・・・が、設けられており、開閉バルブ１１を開いた状態にすると、水槽１１に蓄えられた水が、排水管１２に設けられた複数個の水排出孔１２ｈ・・・から排出されるようになっており、また、開閉バルブ１１を閉じた状態にすると、排水管１２に設けられた複数個の水排出孔１２ｈ・・・からの水の排出が止まるようになっている。
【００５７】
また、図１中、２１で示す部材装置は、風力発電装置を示しており、この造水装置１では、太陽電池２が発電した電力以外で、又は、太陽電池２が発電した電力とともに、風力発電装置２１が発電した電力でファン３及び熱電交換素子（この例では、ペルチェ素子）４を駆動するようにしている。
【００５８】
また、図１中、２５で示す部材装置は、熱電交換素子（この例では、ペルチェ素子）４を駆動することで、熱電交換素子（この例では、ペルチェ素子）４の下方に溜まった水を水槽７へ送水する際に用いるポンプ手段を示している。
【００５９】
図２は、図１に示す造水装置の技術的特徴部分である電気回路を模式的に示す構成図である。
【００６０】
この造水装置１は、以下の構成を備える点で、図１０に示す、従来の造水装置１０１と、特に、その構成が異なっている。
【００６１】
この造水装置１は、熱電交換素子及びファンの駆動・停止を制御する制御手段２２を備える。
【００６２】
制御手段２２は、１日の一定時間の間は、制御手段２２をオフにし、制御手段２２をオンにするようなものであれば、例えば、タイマー手段や、光検知手段や、電圧測定手段、温度検出手段等を用いることができる。
【００６３】
尚、この例では、制御手段２２として、タイマー手段を備えるものを用いている。
【００６４】
また、この造水装置１は、熱電交換素子及びファンの駆動する電源が、太陽電池２及び／又は風力発電装置２１と、太陽電池２及び／又は風力発電装置２１が発電した電力を貯蔵する二次電池２３を備える。
【００６５】
尚、図１中、２４で示す部材装置は、太陽電池２及び／又は風力発電装置２１が発電した電力の電圧及び／又は電流を、二次電池２３の充電時の定格電圧値及び／又は電流値に変換する充電コントローラを示している。
【００６６】
次に、この造水装置１を用いて水を作る動作・原理について説明する。
【００６７】
この造水装置１では、ファン３が、空気排出口（図１に示す第二の空気口１０）側に設けられている。
【００６８】
太陽電池２及び／又は風力発電装置２１により発電した電力は、充電コントローラ２４により、二次電池２３の充電時の定格電圧値及び／又は電流値に変換された後、二次電池２３へ充電される。
【００６９】
この造水装置１では、昼間は、制御手段２２をオフにして、熱電交換素子（この例では、ペルチェ素子）４及びファン３を停止した状態にして、太陽電池２及び／又は風力発電装置２１により発電した電力を二次電池２３に充電する。
【００７０】
一方、例えば、大気の温度が下がり、空気中に含まれる水蒸気が飽和状態になっていたり、飽和状態に近くなっていたり、又は、少なくとも、温度が下がることで、温度との関係で湿度が高くなっている夜間から早朝にかけて、制御手段２２をオンして、熱電交換素子（この例では、ペルチェ素子）４及びファン３を駆動する。
【００７１】
この造水装置１では、ファン３を駆動すると、空気が、空気供給口（図１に示す第一の空気口９）からケース体（図１に示すケース体８）内に流入し、ケース体（図１に示すケース体８）内に流入した空気は、熱電交換素子（この例では、ペルチェ素子）４の吸熱面側に設けられている吸熱側フィン（図示せず。）及び熱電交換素子（この例では、ペルチェ素子）４の放熱面側に設けられている放熱側フィン（図示せず。）に当たり、その後、空気排出口（図１に示す第二の空気口１０）から大気中に排出されるようになっている。
【００７２】
そして、この造水装置１では、太陽電池２及び／又は風力発電装置２１により発電し、二次電池２３に充電した電力を用いて、ファン３を駆動すると、空気供給口（図１に示す第一の空気口９）からケース体（図１に示すケース体８）内に流入した空気が、熱電交換素子（この例では、ペルチェ素子）４に接合されている吸熱側フィン（図示せず。）に接触又はその近傍を通る際に冷やされて、空気中に含まれる水蒸気が凝縮して液化し、そのようにして作られた水が、水槽７に収容されるようになっている。
【００７３】
水槽７に蓄えられた水は、必要に応じて、開閉バルブ（図１に示す開閉バルブ１１）を開くことで、水槽７に蓄えられた水が、排水管１２に設けられた複数個の水排出孔１２ｈ・・・から排出されるようになっている。
【００７４】
この造水装置１では、熱電交換素子（この例では、ペルチェ素子）４及びファン３を制御する制御手段２２を設けているので、例えば、大気の温度が高く、熱電交換素子（この例では、ペルチェ素子）４やファン３を駆動しても、空気中に含まれる水蒸気を凝縮して水に変えることが難しい、昼間は、制御手段２２により、熱電交換素子（この例では、ペルチェ素子）４及びファン３を停止し、その一方、例えば、大気の温度が下がり、空気中に含まれる水蒸気が飽和状態になっていたり、飽和状態に近くなっていたり、又は、少なくとも、温度が下がることで、温度との関係で湿度が高くなっている夜間から早朝にかけて、制御手段２２により、熱電交換素子（この例では、ペルチェ素子）４及びファン３を駆動することで、効率良く、空気中の水蒸気を凝縮して水を得ることができる。
【００７５】
尚、上記した実施例１では、太陽電池２と、風力発電装置２１とを備える造水装置１について説明したが、本発明に係る造水装置は、太陽電池２及び風力発電装置２１のいずれか一方のみを含むものも含まれる。
【００７６】
また、上記した実施例１では、ファン３を駆動すると、ケース体（図１に示すケース体８）の空気供給口（図１に示す第一の空気口９）からケース体（図１に示すケース体８）内に空気が流入し、空気排出口（図１に示す第二の空気口１０）から空気が大気中へ排出される例を示したが、これは、単なる好ましい例の例示であって、本発明に係る造水装置は、ファン３を駆動すると、ケース体（図１に示すケース体８）の空気供給（図１に示す第二の空気口１０）からケース体（図１に示すケース体８）内に空気が流入し、空気排出口（図１に示す第一の空気口９）から空気が大気中へ排出されるように構成されていてもよい。
【００７７】
尚、図３は、本発明に係る造水装置の一例を、そのデザイン化した状態で模式的に示す斜視図である。
【００７８】
また、図４（ａ）は、図３に示す造水装置を模式的に示す正面図であり、図４（ｂ）は、図３に示す造水装置を模式的に示す右側面図であり、図４（ｃ）は、図３に示す造水装置を模式的に示す背面図であり、また、図４（ｄ）は、図３に示す造水装置を模式的に示す平面図である。
【００７９】
尚、説明を容易とするため、図３及び図４に示す造水装置１Ａの構成する部材装置中、図１及び図２に示した造水装置１を構成する部材装置に相当する部材装置には、造水装置１を構成する部材装置に付した参照符号に相当する参照符号を付して、その説明を省略する。
【００８０】
この造水装置１Ａは、例えば、庭園等に設置しても庭園の見栄えが良いように、ケース体８を家形状にし、また、太陽電池２の受光効率が良くなるように、太陽電池２をケース体８の上面に設けている。
【００８１】
また、この造水装置１Ａでは、熱電交換素子（この例では、ペルチェ素子）４及びファン３を駆動することで、空気中の水蒸気を凝縮して得た水を、排水管１２を通じて、ケース体８の底面から地面へ流す（供給する）ようにしている。
【００８２】
尚、図３及び図４では、二次電池２３及び制御手段２２については、図示するのを省略している。
（実施例２）
図５は、本発明に係る造水装置の他の一例を、熱電交換素子、吸熱側フィン、放熱側フィン及びファンを中心にしてその構成を模式的に示す斜視図である。
【００８３】
この造水装置１Ｂは、一対の熱電交換素子（この例ではペルチェ素子）４、４と、一対の熱電交換素子（この例ではペルチェ素子）４、４の各々の吸熱側面を橋渡すように設けられた吸熱側フィン５と、一対の熱電交換素子（この例ではペルチェ素子）４、４の各々の放熱側面の各々に設けられた放熱側フィン６、６と、一対の熱電交換素子（この例ではペルチェ素子）４、４の各々の吸熱側面を橋渡すように設けられた吸熱側フィン５用のファン３Ａと、一対の熱電交換素子（この例ではペルチェ素子）４、４の各々の放熱側面の各々に設けられた放熱側フィン６、６用のファン３Ｂ、３Ｂと、熱電交換素子（この例ではペルチェ素子）４、４、吸熱側フィン５用のファン３Ａ及び放熱側フィン６、６用のファン３Ｂ、３Ｂを駆動する電源（図示せず。）とを備える。
【００８４】
図６は、図５に示す造水装置１Ｂを、図３に示す造水装置１Ａと同様（類似）の形状のケース体８Ｂに収容した状態を示す模式的な平面図である。
【００８５】
尚、図６に示す造水装置１Ｂ中を構成する部材装置中、図３に示す造水装置１Ａを構成する部材装置に相当する部材装置については、図３に示す造水装置１Ａを構成する部材装置に相当する符号を付して、その説明を省略する。
【００８６】
尚、図６中、電源及び水槽については、その図示を省略する。
【００８７】
この造水装置１Ｂは、２個の熱電交換素子（この例ではペルチェ素子）４、４の各々に対し、放熱側フィンと、吸熱側フィンとを設けるのではなく、２個の熱電交換素子（この例ではペルチェ素子）４、４の各々の吸熱側面を橋渡すように吸熱側フィン５を設け、一対の熱電交換素子（この例ではペルチェ素子）４、４の各々の放熱側面の各々に放熱側フィン６、６を設けているので、１個の吸熱側フィン５が、２個の熱電交換素子（この例ではペルチェ素子）４、４によって冷却されることになり、吸熱側フィン５の冷却効率が高い。この結果、この造水装置１Ｂを駆動すれば、効率良く、空気中の水蒸気を凝縮して水を得ることができる。
【００８８】
また、電源（図示せず。）として、太陽電池及び／又は風力発電装置、太陽電池及び／又は風力発電装置により発電した電力を充放電する二次電池、並びに、２個の熱電交換素子（この例ではペルチェ素子）４、４及びファン３Ａ、３Ｂ、３Ｂの駆動・停止を制御する制御手段を設け、昼間は、制御手段をオフにして、２個の熱電交換素子（この例ではペルチェ素子）４、４及びファン３Ａ、３Ｂ、３Ｂの各々を停止し、夜間から早朝にかけて、制御手段をオンにして、二次電池に充電されている電力を用いて、２個の熱電交換素子（この例ではペルチェ素子）４、４及びファン３Ａ、３Ｂ、３Ｂの各々を駆動するようにすれば、実施例１に示す造水装置１と同様、効率良く、空気中の水蒸気を凝縮して水を製造することができる。
【００８９】
尚、図５及び図６の各々中に示す矢印は、造水装置１Ｂのファン３Ａ、３Ｂ、３Ｂを駆動した際に生じる空気の流れる方向を示している。
【００９０】
図５及び図６の各々に示す造水装置１Ｂでは、ファン３Ａを駆動すると、ファン３Ａ側から吸熱側フィン５方向に空気の流れが生じ、ファン３Ｂ、３Ｂの各々を駆動すると、放熱側フィン６、６の各々側から、ファン３Ｂ、３Ｂの各々方向に空気の流れが生じる例を示したが、これは、単に、本発明に係る造水装置の好ましい例を示したに過ぎず、本発明に係る造水装置には、ファン３Ａを駆動すると、吸熱側フィン５側からファン３Ａ方向に空気の流れが生じ、ファン３Ｂ、３Ｂの各々を駆動すると、ファン３Ｂ、３Ｂの各々側から放熱側フィン６、６の各々方向に空気の流れが生じるように構成した造水装置も含まれる。
【００９１】
また、図５及び図６の各々に示す造水装置１Ｂでは、２個の熱電交換素子（この例ではペルチェ素子）４、４の各々の吸熱側面を橋渡すように吸熱側フィン５を設け、一対の熱電交換素子（この例ではペルチェ素子）４、４の各々の放熱側面の各々に放熱側フィン６、６を設けた例を中心に説明したが、これは、単に、本発明に係る造水装置の好ましい例を示したに過ぎず、本発明に係る造水装置には、２個の熱電交換素子（この例ではペルチェ素子）４、４の各々の放熱側面を橋渡すように放熱側フィンを設け、一対の熱電交換素子（この例ではペルチェ素子）４、４の各々の吸熱側面の各々に放熱側フィンを設けたものも含まれる。
（実施例３）
図７（ａ）は、本発明に係る造水装置の他の一例を模式的に示す外観斜視図であり、また、図７（ｂ）は、図７（ａ）に示す造水装置の変形例の一例を模式的に示す外観斜視図である。
【００９２】
図７（ａ）を参照しながら説明すると、この造水装置１Ｃは、ケース体のデザインを美しく、また、この形状を基本にして、ケース体８を石のような形状にした場合を例示している。
【００９３】
また、図８（ａ）は、図７（ａ）に示す造水装置１Ｃの側面図を示しており、図８（ｂ）は、図７（ａ）中、Ｉ−Ｉ線に従う断面図を示しており、また、図８（ｃ）は、図７（ａ）中、ＩＩ−ＩＩ線に従う断面図である。
【００９４】
この造水装置１Ｃは、空気口９、１０を有する、ラグビーボール形状のケース体８Ｃと、ケース体８Ｃ内に収容された熱電交換素子（この例では、ペルチェ素子）４Ｃと、ケース体８Ｃの空気口１０に設けられたファン３と、熱電交換素子（この例では、ペルチェ素子）４Ｃ及びファン３を駆動する電源（この例では、太陽電池）２とを備える。
【００９５】
尚、この例に示すケース体８Ｃは、より具体的には、ラグビーボールの一対の尖がった先端部の各々の一定部分が切断された形状になっている。以下、このような形状を含めて、ケース体８Ｃの形状を略円柱体形状という。
【００９６】
この造水装置１Ｃは、特に、以下の構成に、その技術的特徴がある。
【００９７】
即ち、この造水装置１Ｃでは、熱電交換素子４Ｃを略円柱形状にしている。
【００９８】
より特定的に説明すると、この造水装置１Ｃでは、熱電交換素子４Ｃの形状を、ラグビーボール形状のケース体８Ｃの大きさより小さいサイズの、ラグビーボール形状のケース体８Ｃの相似形状又は概ね相似形状にしている。
【００９９】
尚、熱電交換素子（この例では、ペルチェ素子）４Ｃを略円柱形状にする方法としては、既に市販されている平板上のペルチェ素子の複数個を貼り合せる等することで、略円柱形状にしてもよく、最初から、新たに略円柱形状のペルチェ素子を作製するようにしてもよい。
【０１００】
この造水装置１Ｃでは、略円柱体形状にした熱電交換素子（この例では、ペルチェ素子）４Ｃの内表面側が、吸熱側にされており、また、その外表面側が、放熱側にされている。
【０１０１】
そして、この造水装置１Ｃでは、略円柱形状の熱電交換素子（この例では、ペルチェ素子）４Ｃの内側に、吸熱側フィン５を略円柱形状の熱電交換素子（この例では、ペルチェ素子）４Ｃの中心方向に放射状に配置し、略円柱形状の熱電交換素子（この例では、ペルチェ素子）４Ｃの外側に、放熱側フィン６を略円柱形状の熱電交換素子（この例では、ペルチェ素子）４Ｃの中心方向からケース体８Ｃ方向に放射状に配置している。
【０１０２】
この造水装置１Ｃでは、略円柱形状の熱電交換素子（この例では、ペルチェ素子）４Ｃの直径は、その中心線上のどの点においても、略円柱形状の熱電交換素子（この例では、ペルチェ素子）の外側に設けられる放熱側フィン６の長さを考慮して、放熱側フィン６の長さ又はこれより少し長い長さの２倍又はこれより少し長い長さ分だけ、略円柱形状のケース体８Ｃより短く又は概ね短くされている。
【０１０３】
また、略円柱形状の熱電交換素子（この例では、ペルチェ素子）４Ｃは、略円柱形状のケース体８Ｃの中心線に、その中心線を合わせる又は概ね合わせるようにして、その中心線に直交する方向の断面形状が、略円柱形状のケース体の中心線に直交する方向の断面形状が、同じ点において、同心円又は概ね同心円に配置されるように設けられている。
【０１０４】
尚、図８（ｂ）及び図８（ｃ）中に示される、中央部の管Ｔは、必要により、設けられる空気流通用の管を示している。
【０１０５】
また、この造水装置１Ｃでは、図７（ａ）に示すように、太陽電池２の受光効率を考慮して、また、ケース体８Ｃがどの向きになっても、太陽の光を受光する太陽電池２が存在するように、ケース体８Ｃの外表面に、太陽電池２を、その周方向に万遍無く配置している。
【０１０６】
この造水装置１Ｃでは、ケース体８Ｃの形状を略円柱形状にし、この中に、略円柱体形状の熱電交換素子（この例では、ペルチェ素子）４Ｃの形状を略円柱形状にし、この中に、略円柱体形状の熱電交換素子（この例では、ペルチェ素子）４Ｃを収容するようにしているので、略円柱形状ケース体８Ｃ内に平板形状の熱電交換素子を平板形状に収容した場合に比べ、熱電交換素子（この例では、ペルチェ素子）４Ｃを、そのユニット単位で見た場合、沢山、収容することができる。即ち、この造水装置１Ｃは、熱電交換素子（この例では、ペルチェ素子）４Ｃを、そのユニット単位で見た場合、略円柱形状ケース体８Ｃ内に平板形状の熱電交換素子を平板形状に収容した造水装置（図示せず。）に比較して、空気中の水蒸気を凝縮して水にする効率が優れている。
【０１０７】
また、これらの造水装置１Ｃは、ケース体８Ｃの形状を略円柱形状、例えば、ラグビーボール形状又は略ラグビーボール形状にしているので、美観に優れている。
【０１０８】
また、この造水装置１Ｃのファン３としては、ファン３を駆動した場合、空気の気流が、ファン３側からケース体８Ｃ内方向にながれるものであってもよく、また、空気の気流が、ケース体８Ｃ内側からファン３方向にながれるものであってもよい。
【０１０９】
また、上記した実施例３では、本発明に係る造水装置として、ケース体８Ｃ内に収容される熱電交換素子（この例では、ペルチェ素子）４Ｃに設ける吸熱側フィンとして、図８（ｃ）に示すような、櫛歯状の吸熱側フィン５と、ケース体８Ｃ内に収容される熱電交換素子（この例では、ペルチェ素子）４Ｃに設ける放熱側フィンとして、図８（ｃ）に示すような、櫛歯状の放熱側フィン６とを設けたものを中心に説明したが、本発明に係る造水装置は、そのようなものだけに限定されることはなく、例えば、図９（ｃ）に示すように、ケース体８Ｃ内に収容される熱電交換素子（この例では、ペルチェ素子）４Ｃに設ける吸熱側フィンとして、図９（ｃ）に示すような、板状の吸熱側フィン５Ｄと、ケース体８Ｃ内に収容される熱電交換素子（この例では、ペルチェ素子）４Ｃに設ける放熱側フィンとして、図９（ｃ）に示すような、板状の吸熱側フィン６Ｄとを設けた造水装置１Ｄや、板状の吸熱側フィン５Ｄと、櫛歯状の放熱側フィン６とを組み合わせた造水装置（図示せず。）や、櫛歯状の吸熱側フィン５と、板状の吸熱側フィン６Ｄとを組み合わせた造水装置（図示せず。）が含まれる。
【０１１０】
尚、図９（ａ）、図９（ｂ）及び図９（ｃ）に示す、造水装置１Ｄの構成は、吸熱側フィン及び発熱側フィンの形状が、図８（ａ）、図８（ｂ）及び図８（ｃ）に示す、造水装置１Ｃの構成と異なっている以外は、造水装置１Ｃの構成と同様であるので、造水装置１Ｄを構成する部材装置中、造水装置１Ｄを構成する部材装置に相当する部材装置については、造水装置１Ｄを構成する部材装置に付した参照符号を付して、その説明を省略する。
【０１１１】
また、上記した実施例３では、本発明に係る造水装置として、略円柱体形状にした熱電交換素子（この例では、ペルチェ素子）４Ｃの内表面側が、吸熱側にされており、また、その外表面側が、放熱側にされており、略円柱形状の熱電交換素子（この例では、ペルチェ素子）４Ｃの内側に、吸熱側フィン５を略円柱形状の熱電交換素子（この例では、ペルチェ素子）４Ｃの中心方向に放射状に配置し、略円柱形状の熱電交換素子（この例では、ペルチェ素子）４Ｃの外側に、放熱側フィン６を略円柱形状の熱電交換素子（この例では、ペルチェ素子）４Ｃの中心方向からケース体８Ｃ方向に放射状に配置した造水装置１Ｃ、１Ｄを中心に説明したが、これは、単に、本発明に係る造水装置を例示したに過ぎず、略円柱体形状にした熱電交換素子（この例では、ペルチェ素子）４Ｃの内表面側が、放熱側にされており、また、その外表面側が、吸熱側にされており、略円柱形状の熱電交換素子（この例では、ペルチェ素子）４Ｃの内側に、放熱側フィンを略円柱形状の熱電交換素子（この例では、ペルチェ素子）４Ｃの中心方向に放射状に配置し、略円柱形状の熱電交換素子（この例では、ペルチェ素子）４Ｃの外側に、吸熱側フィンを略円柱形状の熱電交換素子（この例では、ペルチェ素子）４Ｃの中心方向からケース体８Ｃ方向に放射状に配置した造水装置も、本発明に係る造水装置に含まれる。
【０１１２】
また、図７（ｂ）に示す、造水装置１Ｅも本発明に係る造水装置に含まれる。
【０１１３】
図７（ｂ）を参照しながら説明すると、この造水装置１Ｅは、太陽電池として、球状太陽電池２Ｅを用いている点が、造水装置１Ｃ、１Ｄと、異なっている。
【０１１４】
この造水装置１Ｅは、上記した構成以外は、造水装置１Ｃ、１Ｄと同様の構成を備えるので、ここでは、説明を容易とするため、造水装置１Ｅを構成する部材装置中、造水装置１Ｃ、１Ｄを構成する部材装置に相当する部材装置については、造水装置１Ｃ、１Ｄを構成する部材装置に付した参照符号を付して、その説明を省略する。
【０１１５】
尚、造水装置１Ｃ、１Ｄ、１Ｅのケース体８Ｃ、８Ｄを連通孔を有する多孔質で製してもよい。
【０１１６】
以上、詳細に説明したように、本発明に係る造水装置は、空気中の水蒸気を効率良く凝縮し、水を製造することができるので、例えば、砂漠その他の乾燥地等の緑化事業や、公園や一般家庭の庭等に設置すれば、水をやらなくても、植物を枯らすことを防止できる。
【産業上の利用可能性】
【０１１７】
本発明に係る造水装置は、空気中の水蒸気を効率良く凝縮し、水を製造することができるので、例えば、砂漠その他の乾燥地等の緑化事業や、公園や一般家庭の庭等に設置する造水装置として、幅広く、利用できる。
【図面の簡単な説明】
【０１１８】
【図１】本発明に係る造水装置の一例を概略的に説明する構成図である。
【図２】図１に示す造水装置の技術的特徴部分である電気回路を模式的に示す構成図である。
【図３】本発明に係る造水装置の一例を、そのデザイン化した状態で模式的に示す斜視図である。
【図４】図４（ａ）は、図３に示す造水装置を模式的に示す正面図であり、図４（ｂ）は、図３に示す造水装置を模式的に示す右側面図であり、図４（ｃ）は、図３に示す造水装置を模式的に示す背面図であり、また、図４（ｄ）は、図３に示す造水装置を模式的に示す平面図である。
【図５】本発明に係る造水装置の他の一例を、熱電交換素子、吸熱側フィン、放熱側フィン及びファンを中心にしてその構成を模式的に示す斜視図である。
【図６】図５に示す造水装置を、図３に示す造水装置と同様（類似）の形状のケース体に収容した状態を示す模式的な平面図である。
【図７】図７（ａ）は、本発明に係る造水装置の他の一例を模式的に示す外観斜視図であり、また、図７（ｂ）は、図７（ａ）に示す造水装置の変形例の一例を模式的に示す外観斜視図である。
【図８】図８（ａ）は、図７（ａ）に示す造水装置の側面図を示しており、図８（ｂ）は、図７（ａ）中、Ｉ−Ｉ線に従う断面図を示しており、また、図８（ｃ）は、図７（ａ）中、ＩＩ−ＩＩ線に従う断面図である。
【図９】図９（ａ）は、図７（ａ）に示す造水装置の他の一例の側面図を示しており、図９（ｂ）は、図７（ａ）中、Ｉ−Ｉ線に従う断面図を示しており、また、図９（ｃ）は、図７（ａ）中、ＩＩ−ＩＩ線に従う断面図である。
【図１０】実開平５−５３２５６号公報に開示されている造水装置の要部を概略的に示す断面図である。
【符号の説明】
【０１１９】
１、１Ａ、１Ｂ、１Ｃ、１Ｄ、１Ｅ  造水装置
２  太陽電池
３、３Ａ、３Ｂ  ファン
４  熱電交換素子（ペルチェ素子）
５  吸熱側フィン
６  放熱側フィン
７  水槽
８  ケース体
９、１０  空気口
【図１】
2005282974.tif 000003
【図２】
2005282974.tif 000004
【図３】
2005282974.tif 000005
【図４】
2005282974.tif 000006
【図５】
2005282974.tif 000007
【図６】
2005282974.tif 000008
【図７】
2005282974.tif 000009
【図８】
2005282974.tif 000010
【図９】
2005282974.tif 000011
【図１０】
2005282974.tif 000012